(57)【要約】【課題】ツールを作業環境で操作する方法を提供する。【解決手段】本発明のツールを作業環境で操作する方法は、先ず、統一ツールを操作させるウェブサイト形式の作業環境がブラウザに提供されることと、作業環境で提供されるソフトウェア開発キットは作業環境と作業環境中で生成される統一された後のインラインフレームとの間でデータ及び／或いは命令の伝送を行う少なくとも１つの標準インターフェースとして用いられ、且つソフトウェア開発キットは作業環境及び前記統一された後のインラインフレームの間で互換性をもって実行されることと、作業環境中で統一ツールが操作され、統一ツールの操作は作業環境中でインラインフレームが生成されると共にアダプタがインラインフレームにロードされることにより完成し、且つアダプタは作業環境とは互換しない元のツール及び前記少なくとも１つの標準インターフェースが統合された後に形成されるソフトウェアモジュールであり、作業環境では前記少なくとも１つの標準インターフェースを介し統一ツールが駆動される駆動方式によりインラインフレーム中の元のツールが実行されることとを含む。【選択図】図７
2017526092.tif 000002
【特許請求の範囲】
【請求項１】
統一ツール（ｕｎｉｆｉｅｄ  ｔｏｏｌ）を操作させるためのウェブサイト形式の作業環境がブラウザに提供され、前記作業環境で提供されるソフトウェア開発キット（ｓｏｆｔｗａｒｅ  ｄｅｖｅｌｏｐｍｅｎｔ  ｋｉｔ，  ＳＤＫ）は、前記作業環境と前記作業環境中で生成される統一された後のインラインフレーム（ｉｎｌｉｎｅ  ｆｒａｍｅ，  ｉｆｒａｍｅ）との間で少なくとも１つのデータ及び／或いは少なくとも１つの命令の伝送を行う少なくとも１つの標準インターフェースとして用いられ、且つ前記ソフトウェア開発キットは前記作業環境及び前記統一された後のインラインフレームの間で互換性をもって実行されることと、
前記作業環境中で前記統一ツールが操作され、前記統一ツールの操作は前記作業環境中でインラインフレームが生成されると共にアダプタ（Ａｄａｐｔｅｒ）がインラインフレームにロードされることにより完成し、且つ前記アダプタは前記作業環境とは互換しない元のツール及び前記少なくとも１つの標準インターフェースが統合された後に形成されるソフトウェアモジュールであり、前記作業環境は前記少なくとも１つの標準インターフェースを介し前記統一ツールが駆動される駆動方式により前記インラインフレーム中の前記元のツールが実行されることと、を含むことを特徴とするツールを作業環境で操作する方法。
【請求項２】
前記少なくとも１つのデータ及び／或いは前記少なくとも１つの命令は、ＨＴＭＬ５  Ｗｅｂ  Ｍｅｓｓａｇｉｎｇの仕様の則り定義されるＰｏｓｔＭｅｓｓａｇｅ関数により前記作業環境とインラインフレームとの間で伝送されることを特徴とする、請求項１に記載のツールを作業環境で操作する方法。
【請求項３】
前記少なくとも１つの標準インターフェースは、前記作業環境で前記統一ツールを駆動させるために使用される駆動インターフェースであることを特徴とする、請求項１に記載のツールを作業環境で操作する方法。
【請求項４】
前記元のツールは、前記少なくとも１つの標準インターフェースにより提供及び／或いは定義されるソフトウェアファンクションコールが使用及び／或いは実現されることにより、前記少なくとも１つの標準インターフェースに統合されることを特徴とする、請求項１に記載のツールを作業環境で操作する方法。
【請求項５】
前記統一された後のインラインフレームは、前記統一ツールとすることを特徴とする、請求項１に記載のツールを作業環境で操作する方法。
【請求項６】
前記駆動方式は、初期コマンドが前記インラインフレームに伝送され、前記インラインフレーム中の前記元のツールが起動されることと、及び／或いはクローズコマンドが前記インラインフレームに伝送され、前記インラインフレーム中の前記元のツールが終了されることとを含むことを特徴とする、請求項１に記載のツールを作業環境で操作する方法。
【請求項７】
前記統一ツールの基本属性は、タイプ及び前記元のツールの所在地を示すリンクを含むことを特徴とする、請求項１に記載のツールを作業環境で操作する方法。
【請求項８】
前記タイプは、コンポーネントタイプの定義に用いられ、且つ前記コンポーネントタイプ及び前記リンクは、前記統一ツールに対するプラグイン、管理、または実行に必要なフィジカルコンポーネントを獲得させるために使用されることを特徴とする、請求項７に記載のツールを作業環境で操作する方法。
【請求項９】
前記元のツールは、ユーティリティー、ウィジェット、エージェント、アプリケーション、サービスツール、または関連機械或いはサーバーからアクセス可能な実行可能な要素であることを特徴とする、請求項１に記載のツールを作業環境で操作する方法。
【請求項１０】
前記作業環境は、ワークスペースの作業環境であり、且つ前記ワークスペースは、プロジェクト可能な空間のインスタンスによりモデル化されることを特徴とする、請求項１に記載のツールを作業環境で操作する方法。
【請求項１１】
前記プロジェクト可能な空間のインスタンスは、オブジェクト、拡張可能マークアップ言語ドキュメント、または構造化言語或いは構造化プロトコルでインスタンス化されることにより形成されるインスタンスであることを特徴とする、請求項１０に記載のツールを作業環境で操作する方法。
【請求項１２】
統一ツールを操作させるためのウェブサイト形式の作業環境がロードされるブラウザであって、前記作業環境で提供されるソフトウェア開発キットは、前記作業環境と前記作業環境中で生成される統一された後のインラインフレームとの間で少なくとも１つのデータ及び／或いは少なくとも１つの命令の伝送を行う少なくとも１つの標準インターフェースとして用いられ、且つ前記ソフトウェア開発キットは前記作業環境及び前記統一された後のインラインフレームの間で互換性をもって実行されることと、
前記作業環境中で前記インラインフレームが生成されると共にアダプタが前記インラインフレームにロードされて前記作業環境で操作される前記統一ツールが形成される実行ユニットであって、前記アダプタは前記作業環境とは互換しない元のツール及び前記少なくとも１つの標準インターフェースが統合された後に形成されるソフトウェアモジュールであり、且つ前記作業環境では前記少なくとも１つの標準インターフェースにより前記統一ツールが駆動される駆動方式により前記インラインフレーム中の前記元のツールが実行されることと、を備えることを特徴とする機械。
【請求項１３】
前記少なくとも１つのデータ及び／或いは前記少なくとも１つの命令は、ＨＴＭＬ５  Ｗｅｂ  Ｍｅｓｓａｇｉｎｇの仕様に則り定義されるＰｏｓｔＭｅｓｓａｇｅ関数により前記作業環境とインラインフレームとの間で伝送されることを特徴とする、請求項１２に記載の機械。
【請求項１４】
前記少なくとも１つの標準インターフェースは、前記作業環境で前記統一ツールを駆動させるために使用される駆動インターフェースであることを特徴とする、請求項１２に記載の機械。
【請求項１５】
前記元のツールは、前記少なくとも１つの標準インターフェースを介し提供及び／或いは定義されるソフトウェアファンクションコールが使用及び／或いは実現されることにより、前記少なくとも１つの標準インターフェースに統合されることを特徴とする、請求項１２に記載の機械。
【請求項１６】
前記統一された後のインラインフレームは、前記統一ツールとすることを特徴とする、請求項１２に記載の機械。
【請求項１７】
前記駆動方式は、
初期コマンドが前記インラインフレームに伝送され、前記インラインフレーム中の前記元のツールが起動されることと、及び／或いはクローズコマンドが前記インラインフレームに伝送され、前記インラインフレーム中の前記元のツールが終了されることとを含むことを特徴とする、請求項１２に記載の機械。
【請求項１８】
前記統一ツールの基本属性は、タイプ及び前記元のツールの所在地を示すリンクを含むことを特徴とする、請求項１２に記載の機械。
【請求項１９】
前記タイプは、コンポーネントタイプの定義に用いられ、且つ前記コンポーネントタイプ及び前記リンクは、前記統一ツールに対するプラグイン、管理、または実行に必要なフィジカルコンポーネントを獲得させるために使用されることを特徴とする、請求項１８に記載の機械。
【請求項２０】
前記元のツールは、ユーティリティー、ウィジェット、エージェント、アプリケーション、サービスツール、または関連機械或いはサーバーからアクセス可能な実行可能な要素であることを特徴とする、請求項１２に記載の機械。
【請求項２１】
前記作業環境は、ワークスペースの作業環境であり、且つ前記ワークスペースはプロジェクト可能な空間のインスタンスによりモデル化されることを特徴とする、請求項１２に記載の機械。
【請求項２２】
前記プロジェクト可能な空間のインスタンスは、オブジェクト、拡張可能マークアップ言語ドキュメント、または構造化言語或いは構造化プロトコルでインスタンス化されることにより形成されるインスタンスであることを特徴とする、請求項２１に記載の機械。
【発明の詳細な説明】
【技術分野】
【０００１】
本発明は、ツールを駆動させて操作させる方法に関し、より詳しくは、作業環境とは互換しないツールを作業環境で実行させる方法及び上記方法を応用する機械に関する。
【背景技術】
【０００２】
生活が便利になった現代では、人々は計算能力を有する電子装置を使用して仕事、文書処理、エンターテイメント、社会的コミュニケーション等を幅広く行っている。科学技術の発展により、情報の拡散速度が速まっており、様々なウェブプラットフォーム、オペレーティングシステム、及びソフトウェアツールが開発されて人々に使用され、効率的に生活を送れるようになっている。特に、「ポストＰＣ時代」では、従来のデスクトップパソコン、タブレット端末、携帯電話等のモバイル装置の出現により、人々が何時でも何処でもその中のブラウザを使用し、インターネットを通して世界各地のウェブサイトを訪れて作業を行えるようになった。
【発明の概要】
【発明が解決しようとする課題】
【０００３】
インターネットの発展により、多くのウェブページ開発技術が広く応用されるようになり、多様化が進んだことによって互換性の問題が発生した。例えば、あるフレームワーク（例えば、Ａｎｇｕｌａｒ  ＪＳ）に基づいて編集されたツールは、修正なしでは他のフレームワーク（例えば、Ｆａｍｏｕｓ  ＪＳ）に基づいて編集された作業環境に互換させて使用することができず、有効的に操作を行えなかった。より詳しくは、異なるフレームワークで編集されたツールや作業環境の間では、アーキテクチャの違い、命名規則の違い、さらには名前が重複する等の要因により相互に統合させて運用できなかった。
【０００４】
さらに、同じフレームワークで編集されたツール及び作業環境では、互換性があるためツールを作業環境中で実行可能であるが、誰かがツールを使用して不正行為を働くと、例えば、ウェブサイトのデータを盗んだり、ウェブサイトを他のウェブサイトに飛ばす等したりする可能性があり、情報セキュリティ上の脅威となった。
【０００５】
以上の説明のように、どのフレームワークで編集されたツールでも、どの作業環境でも操作可能にし、且つ情報セキュリティ上の脅威を取り除く方法が強く求められている。
【課題を解決するための手段】
【０００６】
本発明はツールを作業環境で操作する方法を提供し、特に作業環境中で生成されるインラインフレーム（ｉｎｌｉｎｅ  ｆｒａｍｅ，  ｉｆｒａｍｅ）により作業環境とは互換しないツールを作業環境で実行可能にする方法により、様々なツールが作業環境中で統合されて操作可能にし、且つ作業環境の情報セキュリティも向上させることを主な目的とする。
【０００７】
好ましい実施形態では、本発明が提供されるツールを作業環境で操作する方法は、
統一ツールを操作させるためのウェブサイト形式の作業環境がブラウザに提供され、前記作業環境で提供されるソフトウェア開発キットは、前記作業環境と前記作業環境中で生成される統一された後のインラインフレームとの間で少なくとも１つのデータ及び／或いは少なくとも１つの命令の伝送を行う少なくとも１つの標準インターフェースとして用いられ、且つ前記ソフトウェア開発キットは前記作業環境及び前記統一された後のインラインフレームの間で互換性をもって実行されることと、
前記作業環境中で前記統一ツールが操作され、前記統一ツールの操作は前記作業環境中でインラインフレームが生成されると共にアダプタがインラインフレームにロードされることにより完成し、且つ前記アダプタは前記作業環境とは互換しない元のツール及び前記少なくとも１つの標準インターフェースが統合された後に形成されるソフトウェアモジュールであり、前記作業環境は前記少なくとも１つの標準インターフェースを介し前記統一ツールが駆動される駆動方式により前記インラインフレーム中の前記元のツールが実行されることとを含む。
【０００８】
好ましい実施形態では、前記少なくとも１つのデータ及び／或いは前記少なくとも１つの命令は、ＨＴＭＬ５  Ｗｅｂ  Ｍｅｓｓａｇｉｎｇの仕様の則り定義されるＰｏｓｔＭｅｓｓａｇｅ関数により前記作業環境とインラインフレームとの間で伝送される。
【０００９】
好ましい実施形態では、前記少なくとも１つの標準インターフェースは、前記作業環境で前記統一ツールを駆動させるために使用される駆動インターフェースである。
【００１０】
好ましい実施形態では、前記元のツールは、前記少なくとも１つの標準インターフェースにより提供及び／或いは定義されるソフトウェアファンクションコールが使用及び／或いは実現されることにより、前記少なくとも１つの標準インターフェースに統合される。
【００１１】
好ましい実施形態では、前記統一された後のインラインフレームは前記統一ツールとする。
【００１２】
好ましい実施形態では、前記駆動方式は、初期コマンドが前記インラインフレームに伝送され、前記インラインフレーム中の前記元のツールが起動されることと、及び／或いはクローズコマンドが前記インラインフレームに伝送され、前記インラインフレーム中の前記元のツールが終了されることとを含む。
【００１３】
好ましい実施形態では、前記統一ツールの基本属性は、タイプ及び前記元のツールの所在地を示すリンクを含む。
【００１４】
好ましい実施形態では、前記タイプはコンポーネントタイプの定義に用いられ、且つ前記コンポーネントタイプ及び前記リンクは、前記統一ツールに対するプラグイン、管理、または実行に必要なフィジカルコンポーネントを獲得させるために使用される。
【００１５】
好ましい実施形態では、前記元のツールは、ユーティリティー、ウィジェット、エージェント、アプリケーション、サービスツール、または関連機械或いはサーバーからアクセス可能な実行可能な要素である。
【００１６】
好ましい実施形態では、前記作業環境はワークスペースの作業環境であり、且つ前記ワークスペースはプロジェクト可能な空間のインスタンスによりモデル化される。
【００１７】
好ましい実施形態では、前記プロジェクト可能な空間のインスタンスは、オブジェクト、拡張可能マークアップ言語ドキュメント、または構造化言語或いは構造化プロトコルでインスタンス化されることにより形成されるインスタンスである。
【００１８】
好ましい実施形態では、本発明は、ブラウザ及び実行ユニットを備える機械を提供する。ブラウザは、統一ツール（ｕｎｉｆｉｅｄ  ｔｏｏｌ）を操作させるためのウェブサイト形式の作業環境がロードされる。前記作業環境で提供されるソフトウェア開発キット（Ｓｏｆｔｗａｒｅ  ｄｅｖｅｌｏｐｍｅｎｔ  ｋｉｔ，  ＳＤＫ）は、前記作業環境と前記作業環境中で生成される統一された後のインラインフレーム（ｉｎｌｉｎｅ  ｆｒａｍｅ，  ｉｆｒａｍｅ）との間で少なくとも１つのデータ及び／或いは少なくとも１つの命令の伝送を行う少なくとも１つの標準インターフェースとして用いられ、且つ前記ソフトウェア開発キットは前記作業環境及び前記統一された後のインラインフレームの間で互換性をもって実行される。実行ユニットは、前記作業環境中で前記インラインフレームが生成されると共にアダプタ（Ａｄａｐｔｅｒ）が前記インラインフレームにロードされて前記作業環境で操作される前記統一ツールが形成される。前記アダプタは前記作業環境とは互換しない元のツール及び前記少なくとも１つの標準インターフェースが統合された後に形成されるソフトウェアモジュールであり、且つ前記作業環境では前記少なくとも１つの標準インターフェースにより前記統一ツールが駆動される駆動方式により前記インラインフレーム中の前記元のツールが実行される。
【００１９】
好ましい実施形態では、前記少なくとも１つのデータ及び／或いは前記少なくとも１つの命令は、ＨＴＭＬ５  Ｗｅｂ  Ｍｅｓｓａｇｉｎｇの仕様の則り定義されるＰｏｓｔＭｅｓｓａｇｅ関数により前記作業環境とインラインフレームとの間で伝送される。
【００２０】
好ましい実施形態では、前記少なくとも１つの標準インターフェースは、前記作業環境で前記統一ツールを駆動させるために使用される駆動インターフェースである。
【００２１】
好ましい実施形態では、前記元のツールは、前記少なくとも１つの標準インターフェースにより提供及び／或いは定義されるソフトウェアファンクションコールが使用及び／或いは実現されることにより、前記少なくとも１つの標準インターフェースに統合される。
【００２２】
好ましい実施形態では、前記統一された後のインラインフレームは前記統一ツールとする。
【００２３】
好ましい実施形態では、前記駆動方式は、初期コマンドが前記インラインフレームに伝送され、前記インラインフレーム中の前記元のツールが起動されることと、及び／或いはクローズコマンドが前記インラインフレームに伝送され、前記インラインフレーム中の前記元のツールが終了されることとを含む。
【００２４】
好ましい実施形態では、前記統一ツールの基本属性は、タイプ及び前記元のツールの所在地を示すリンクを含む。
【００２５】
好ましい実施形態では、前記タイプはコンポーネントタイプの定義に用いられ、且つ前記コンポーネントタイプ及び前記リンクは、前記統一ツールに対するプラグイン、管理、または実行に必要なフィジカルコンポーネントを獲得させるために使用される。
【００２６】
好ましい実施形態では、前記元のツールは、ユーティリティー、ウィジェット、エージェント、アプリケーション、サービスツール、または関連機械或いはサーバーからアクセス可能な実行可能な要素である。
【００２７】
好ましい実施形態では、前記作業環境はワークスペースの作業環境であり、且つ前記ワークスペースはプロジェクト可能な空間のインスタンスによりモデル化される。
【００２８】
好ましい実施形態では、前記プロジェクト可能な空間のインスタンスは、オブジェクト、拡張可能マークアップ言語ドキュメント、または構造化言語或いは構造化プロトコルでインスタンス化されることにより形成されるインスタンスである。
【図面の簡単な説明】
【００２９】
【図１】実施形態における統一方法の実施概念の概略図である。
【図２】統一スクリプトを、個人用ワークスペースを実現するための中間言語とする好ましい概念の概略図である。
【図３】個人用ワークスペースの好ましい配置の概略図である。
【図４】好ましい実施形態におけるワークスペースを投影する方法の初期状態の概略図である。
【図５Ａ】図４に示すワークスペースを投影する方法の操作概念の概略図である。
【図５Ｂ】図４に示すワークスペースを投影する方法の操作概念の概略図である。
【図６】図４に示すプロジェクト可能な空間のインスタンス及び図５Ｂに示す投影されたワークスペースの相対関係の概略図である。
【図７】本発明に係るツールを作業環境で操作する方法の好ましい方法のフローチャートである。
【図８】図７に示すステップＰ１において統一ツールを操作させるウェブサイト形式の作業環境がブラウザに提供される好ましい概略図である。
【図９】図７に示すステップＰ２において作業環境中でインラインフレームが生成されると共にアダプタがインラインフレームにロードされる好ましい概略図である。
【図１０】計算機が作業環境中で実行される好ましい概略図である。
【図１１】本発明の好ましい実施形態における図７に示すツールを作業環境で操作する方法を応用する機械のブロック概略図である。
【発明を実施するための形態】
【００３０】
本発明は、以下の用語及び結論の実例を含む以下の説明により、より完全な理解を促す。簡潔にするために、本明細書において、発明の公開された内容を含む出版物を本文に参照のために引用する。
【００３１】
以下、本発明の実施形態は制限がなく、且つ本発明の各種の態様及び特徴を示すのみである。最も制限を受ける技術的意義について、本文で述べる「情報源」とは有用な情報に翻訳される符号の序列を指し、且つこれら上記有用な情報は情報の整理及びラベリングに用いられる。情報源は、ウェブサイト（例えば、インターネットサービス）、イントラネット、ソーシャルネットワーク、ソフトウェア、電子書籍、データベース、及び他の情報メディアを含む（例えば、非一時的コンピューターに用いられる記憶媒体、モバイル装置の記録媒体）。また、本文で述べる「元の情報」は、ファイル、ウェブページ、データベース、ポリシー、ルール、或いは関連する機械及びサーバーがアクセス可能なあらゆる情報を含み、本文で述べる「元のツール」は、ユーティリティ、ウィジェット、知的エージェント、アプリケーション、サービスツール、或いは関連する機械及びサーバーがアクセス可能なあらゆる実行可能な要素を含む。但し、情報源、元の情報、及び元のツールは上述のものに限定されない。
【００３２】
なお、「元の情報」及び「元のツール」は共に本文で述べる「元の要素」の実施態様であり、且つ本発明の実施においては、同じまたは異なる「情報源」からの複数の「元の要素」は全て統一方法を経て複数の「統一要素」にそれぞれモデル化され、同じ作業環境で複数の「統一要素」が全て互いに互換し、協調して特定のタスクを実行できる。「統一ツール」及び「統一情報ユニット」は共に「統一要素」の実施態様である。また、本文で述べる「マテライザー（Ｍａｔｔｅｒｉｚｅｒ）」は、「元の要素」に対して統一を行うコンポーネント、装置、あるいはプログラムコードである。
【００３３】
ある実施形態では、上述の統一方法は、統一データモデルに基づいて複数の情報源の少なくとも１つの情報源から取得される元の情報が再編されることにより、元の情報が統一情報ユニットにモデル化（ｍｏｄｅｌｉｎｇ）され、及び／或いは他の統一データモデルに基づいて複数の情報源の少なくとも１つの情報源から取得される元のツールが再編されることにより、元のツールが統一ツールにモデル化される。上記統一データモデル及び上記他の統一データモデルは同じであるか、または異なり、且つ上述の統一方法はマテライザー（Ｍａｔｔｅｒｉｚｅｒ）により完成される。
【００３４】
図１は実施形態における上述の統一方法の実施概念の概略図である。図１は、マテライザー９９２が統一データモデル９９３に基づいて元の要素９９１の属性及び関連リンクを再編させ、元の要素９９１が統一要素９９４にモデル化され、統一要素９９４の基本属性が元の要素のタイプ（ｔｙｐｅ）及び元の要素の所在地を表示するリンク（ｌｉｎｋ）を含むことを図示する。
【００３５】
本実施形態では、元の要素９９１は元の情報（図示せず）または元のツール（図示せず）を少なくとも含むが、但しこれに限定されない。次いで、上述の統一方法において、元の情報から取得された属性が統一情報ユニット中で統一された属性に対応する場合、マテライザー９９２により統一情報ユニットが直接生成される。元の情報から取得される属性が統一情報ユニット中で統一された属性に対応しない場合、先ず元の情報の属性及び関連リンクに対して論理的再編が行われることにより元の情報が再定義され、元の情報がその属性が統一情報ユニット中で統一された属性に対応する新しい元の情報に変換され、統一情報ユニットが間接的に生成される。
【００３６】
なお、統一ツールのタイプはコンポーネントタイプの定義に用いられ、統一ツールのコンポーネントタイプ及びその所在地のリンクは統一ツールに対するプラグイン、管理、または実行に必要なフィジカルコンポーネントの獲得に用いられる。元のツールがワークスペース（ｗｏｒｋｓｐａｃｅ）の作業環境に互換性がある場合、マテライザー９９２により上記統一ツールが直接生成される。元のツールがワークスペースの作業環境に互換性がない場合、アダプタ（ａｄａｐｔｅｒ）及び／或いは元のツールのソフトウェア開発キット（ＳＤＫ）により元のツールが駆動されて上記統一ツールが間接的に生成される。また、上記アダプタ（ａｄａｐｔｅｒ）によりワークスペースに互換性のあるインターフェースの実装（ｉｎｔｅｒｆａｃｅ  ｉｍｐｌｅｍｅｎｔａｔｉｏｎ）が提供される。
【００３７】
本実施形態に係る「統一方法の具体的な実施方式」、「統一要素の具体的な獲得方式」、及び「マテライザーの具体的な作動方式」はアメリカ特許出願第１４／３２４０６９号「Ａ  ＭＥＴＨＯＤ  ＯＦ  ＵＮＩＦＹＩＮＧ  ＩＮＦＯＲＭＡＴＩＯＮ  ＡＮＤ  ＴＯＯＬ  ＦＲＯＭ  Ａ  ＰＬＵＲＡＬＩＴＹ  ＯＦ  ＩＮＦＯＲＭＡＴＩＯＮ  ＳＯＵＲＣＥＳ」を参照し、上記アメリカ特許出願１４／３２４０６９号を国際優先権要求の主張の基礎とする中国特許出願第２０１４１０７６８５６４．Ｘ号「複数の情報源からの情報とツールを統一する方法及び上記方法、並びに上記方法を応用するコンピュータプログラム製品及び装置」を参照するため、ここでは再述しない。また、本技術分野に習熟する者ならば、実際の応用の需要に応じて同等の効果を達成させるあらゆる設計変更が可能である。
【００３８】
ちなみに、上述の統一方法は本出が採用する統一方法の実施形態にすぎず、異なる情報源からの複数の元の要素を統一する方法は以上のものに限られず、本技術に習熟する者ならば実際の応用の需要に応じて同等の効果を達成させるあらゆる設計変更が可能である。
【００３９】
以下では上述の説明とは異なる２つの統一方法を例示する。第一統一方法はＧａｒｍｉｎ（登録商標）の衛星ナビゲーションに応用されるデータ統一方法であり、Ｇａｒｍｉｎの衛星ナビゲーションの興味のある地点（Ｐｏｉｎｔ  ｏｆ  Ｉｎｔｅｒｅｓｔ、ＰＯＩ）機能は、上記データ統一方法によりその中に入力される元の地点情報（元の情報）に対して統一プロセスが実行されることにより対応する統一地点情報（統一情報ユニット）が獲得される。第二方法はアンドロイド（Ａｎｄｒｏｉｄ）システムに応用されるツール統一方法である。アンドロイド（登録商標）（Ａｎｄｒｏｉｄ）システムはＬｉｎｕｘ（登録商標）を基礎とするオープンソースのモバイルオペレーティングシステムであり、但し、アンドロイドシステムにおけるアプリケーションプログラム（元のツール）の多くはＪａｖａ（登録商標）でプログラムされており、よってＪａｖａ（登録商標）でプログラムされたアプリケーションプログラム（元のツール）は全て上記ツール統一方法によりアンドロイドシステムに互換性のある統一アプリケーションプログラム（統一ツール）にモデル化され、アンドロイドシステム上で実行可能となる。
【００４０】
さらに、本文で述べる「ワークスペース」とは、少なくとも１つのマテライザー及び／或いは少なくとも１つのツール及び／或いは少なくとも１つの情報を相互作用させて特定のタスクを実行させるためのワークスペースを指し、且つ少なくとも１つの情報及び／或いは少なくとも１つのツールは少なくとも１つのマテライザーによりワークスペース中に入力されるが、情報及び／或いはツールをワークスペースに入力する方式はこれに限られない。次に、以下に述べる情報入力器（ｉｎｆｏｒｍａｔｉｏｎ  ｉｍｐｏｒｔｅｒ）（例えば、図２の情報入力器９８８１、９８８２、９８８３、図６のＤｒｏｐｂｏｘ（登録商標）入力器９７６１’、及び図９、図１２Ａ〜図１４Ｂの情報入力器５２等）は全てマテライザーの実施態様である。また、本文で述べる「統一スクリプト」とは、ワークスペースを実現させるための中間言語とするものを指し、且つ「統一スクリプト」により少なくとも１つのマテライザー及び／或いは少なくとも１つの情報及び／或いは少なくとも１つのツールがワークスペースに提供される（例えば、ビルトインやプラグイン）。
【００４１】
ある実施形態では、上述の少なくとも１つの情報は、少なくとも１つの情報源から取得される少なくとも１つの元の情報が統一された後に形成される少なくとも１つの統一情報ユニットであり、上述の少なくとも１つのツールは、少なくとも１つの情報源から取得される少なくとも１つの元のツールが統一された後に形成される少なくとも１つの統一ツールである。ユーザーは異なるタスクに基づいて、必要な統一情報ユニット及び／或いは統一ツールを対応する情報源から（例えば、ビルトインやプラグイン）個人用ワークスペース中に加える。ゆえに、「ワークスペース」はユーザー指向の「個人用ワークスペース」である。
【００４２】
図２及び図３を参照し、図２は統一スクリプトを、個人用ワークスペースを実現させるための中間言語とする好ましい概念の概略図であり、図３は図２に示す個人用ワークスペースの好ましい配置の概略図である。図２及び図３は、ユーザーがタスクの必要に応じて、Ｄｒｏｐｂｏｘ９８２中の元の情報９８５に対応する統一情報ユニット９８５’、クラウドストレージ９８３中の互換性のある元のツール９８６に対応する第一統一ツール９８６’、及びサーバー９８４中の互換性のない元のツール９８７に対応する第二統一ツール９８７’を個人用ワークスペース９８１中で組み合わせることを図示する。更に詳しくは、ユーザーは先ず個人用ワークスペース９８１を実現させるための中間言語とする統一スクリプト９８０を編集し、且つ統一スクリプト９８０によりＤｒｏｐｂｏｘ９８２の情報入力器９８８１、クラウドストレージ９８３の情報入力器９８８２、及びサーバー９８４の情報入力器９８８３の設定（ｃｏｎｆｉｇｕｒｅ）を行う。情報入力器９８８１によりＤｒｏｐｂｏｘ９８２中の元の情報９８５が統一情報ユニット９８５’に統一され、且つ個人用ワークスペース９８１に入力される。
【００４３】
図２及び図３は、クラウドストレージ９８３内に保存される元のツールが互換性のある元のツール９８６であり（すなわち、上記互換性のある元のツール９８６が個人用ワークスペース９８１中の統一ツールに用いられるコンポーネントアーキテクチャと互換する）、且つ統一スクリプト９８０（その中の情報入力器９８８２が利用される）により互換性のある元のツール９８６に対応する第一統一ツール９８６’が個人用ワークスペース９８１に直接提供されることを図示する。
【００４４】
なお、図２及び図３は、サーバー９８４内に保存される元のツールが互換性のない元のツール９８７であり（すなわち、上記互換性のない元のツール９８７が個人用ワークスペース９８１中で統一ツールに用いられるコンポーネントアーキテクチャと互換しない）、且つスクリプト９８０（その中の互換性のあるアダプタ９８９及び情報入力器９８８３が利用される）により互換性のない元のツール９８７に対応する第二統一ツール９８７’が個人用ワークスペース９８１に提供されることを更に図示する。
【００４５】
図３は、ユーザーが実際の応用の必要に応じて統一情報ユニット９８５’、第一統一ツール９８６’、及び第二統一ツール９８７’を個人用ワークスペース９８１の特定の領域に配置させる（例えば、グループ化（ｇｒｏｕｐｉｎｇ）または配置（ｐｌａｃｉｎｇ））ことを図示する。最後に、ユーザーが統一ツール及び統一情報ユニットの間の動作関係により（例えば、両者の間のクリック動作またはドラッグ動作）統一ツールを使用して対応する統一情報ユニットにアクセス或いは制御させることにより、必要なタスクを実行させる。
【００４６】
本実施形態で述べる「統一スクリプトを、個人用ワークスペースを実現するための中間言語とする具体的な実施方式」、「ユーザーが実際の応用の必要に応じて必要な統一情報ユニット及び／或いは必要な統一ツールを対応する情報源に基づいて個人用ワークスペース中に自由に組み合わせることでタスクを実行する具体的な実施方式」はアメリカ特許出願第１４／３２５４６６号「ＭＥＴＨＯＤ  ＦＯＲ  ＰＥＲＦＯＲＭＩＮＧ  ＴＡＳＫ  ＯＮ  ＵＮＩＦＩＥＤ  ＩＮＦＯＲＭＡＴＩＯＮ  ＵＮＩＴＳ  ＩＮ  Ａ  ＰＥＲＳＯＮＡＬ  ＷＯＲＫｓｐａｃｅ」を更に参照し、アメリカ特許出願第１４／３２４０６９号、アメリカ特許出願第１４／３２５４６６を国際優先権主張の基礎とする中国特許出願第２０１４１０７９６５２８．４号「パーソナルワークスペースで統一要素に対して組合せを行う方法、並びに上記方法を応用するコンピュータプログラム製品及びシステム」を参照し、ここでの詳述は省く。
【００４７】
ちなみに、上述の個人用ワークスペースはワークスペースの実施形態にすぎず、本発明に応用されるワークスペースは上述のものに限定されない。例えば、ワークスペースを実現させるための中間言語とする統一スクリプトが予め編集されて、ワークスペースが既定のマテライザー及び／或いは既定の情報及び／或いは既定のツールがビルトインされるワークスペースとなる。このようなワークスペースは、単一のユーザーによる使用に限定されず、実際の応用の需要に応じて複数のユーザーが同時または別々に操作可能である。
【００４８】
さらに、本文で述べる「ワークスペース」は、「ワークスペースを投影する方法」により計算能力を有するあらゆる電子装置（例えば、携帯電話、タブレット端末、ノートパソコン、デスクトップパソコン等であるが、上述のものに限定されない）に投影され、あらゆるユーザーが計算能力を有するあらゆる電子装置上で「投影されたワークスペース（ｐｒｏｊｅｃｔｅｄ  ｗｏｒｋｓｐａｃｅ）」を操作可能である。
【００４９】
ある実施形態では、ワークスペースを投影する方法は、先ず、統一資源識別子（ＵＲＩ）により統一スクリプトで生成（ｉｎｓｔａｎｔｉａｔｅｄ）されるプロジェクト可能な空間のインスタンス（ｐｒｏｊｅｃｔａｂｌｅ  ｓｐａｃｅ  ｉｎｓｔａｎｃｅ）が取得されることを含む。統一スクリプトはマテライザー、情報、及びツールの内の少なくとも１つにより構築されるワークスペースが配置されるように定義され（例えば、前述の説明）、且つプロジェクト可能な空間のインスタンスはワークスペースに対応する投影されたワークスペースの構築に用いられ、マテライザー、情報、及びツールの内の少なくとも１つを操作することでタスクを実行できるインターフェースが提供されるステップを含む。次に、プロジェクター（ｐｒｏｊｅｃｔｏｒ）が利用されて上記プロジェクト可能な空間のインスタンスが解析され、マテライザー、情報、及びツールの内の少なくとも１つが上記プロジェクト可能な空間のインスタンス中に配置される作業環境が構築され、投影されたワークスペースが実行され、これにより少なくとも１人のユーザー及び投影されたワークスペースが相互作用する。
【００５０】
プロジェクターは、リモートデータステーション、プロジェクト可能な空間のインスタンス、またはプレロードされたアプリケーションプログラム中から取得され、且つ互換環境を提供してプロジェクターを実行させるためのエンジン（ｅｎｇｉｎｅ）にロードされる。エンジンはＪａｖａ（登録商標）ｓｃｒｉｐｔエンジン、ウィンドウズ（登録商標）アプリケーション、或いはＬｉｎｕｘ（登録商標）アプリケーション等を含むが、上述のものに限定されない。また、統一スクリプトは、ドキュメントタイプ定義（ＤＴＤ）、拡張可能マークアップ言語スキーマ（ＸＭＬ  ｓｃｈｅｍａ）、構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）等で宣言されることにより形成されるが、上述のものに限定されない。プロジェクト可能な空間のインスタンスは、オブジェクト（ｏｂｊｅｃｔ）、拡張可能マークアップ言語（ＸＭＬ）ドキュメント、または構造化言語（ｓｔｒｕｃｔｕｒｅｄ  ｌａｎｇｕａｇｅ）或いは構造化プロトコル（ｓｔｒｕｃｔｕｒｅｄ  ｐｒｏｔｏｃｏｌ）等で生成されるインスタンス（ｉｎｓｔａｎｃｅ）であるが、上述のものに限定されない。
【００５１】
図４、図５Ａ〜図５Ｂ及び図６を参照し、図４は好ましい実施形態における上述のワークスペースの投影方法の初期状態の概略図であり、図５Ａ及び図５Ｂは図４に示すワークスペースの投影方法の操作概念の概略図であり、図６は図４に示すプロジェクト可能な空間のインスタンス及び図５Ｂに示す投影されたワークスペースの相対関係の概略図である。
【００５２】
図４に示す初期状態において、相互に接続される（例えば、インターネットを通して接続される）第一電子装置９７１及び第二電子装置９７２が存在し、且つ第一電子装置９７１にはプロジェクト可能な空間のインスタンス９７３が保存され、第二電子装置９７２にはプロジェクター９７４がビルトインされる。
【００５３】
なお、統一スクリプト９７３１はドキュメントタイプ定義（ＤＴＤ）で宣言されることにより形成され、且つ少なくとも１つの情報入力器（マテライザーの実施態様）及び／或いは少なくとも１つの統一情報ユニット及び／或いは少なくとも１つの統一ツールにより構築（ｍｏｄｅｌ）されるワークスペースが配置されるように定義され、プロジェクト可能な空間のインスタンス９７３は拡張可能マークアップ言語（ＸＭＬ）で生成されるインスタンスであり（図６参照）、ワークスペースに対応する投影されたワークスペース９７６の構築（ｂｕｉｌｄ）に用いられ、且つ情報入力器及び／或いは統一情報ユニット及び／或いは統一ツールがその中に加えられるか、またはその中から削除される。
【００５４】
第二電子装置９７２のプロジェクター９７４は、第二電子装置９７２上に投影されたワークスペース９７６の実行に用いられる作業環境９７５を構築させ、且つマイクロカーネル９７７（図６参照）が上記作業環境９７５に提供されることにより投影されたワークスペース９７６中に加えられる少なくとも１つの情報入力器及び／或いは少なくとも１つの統一情報ユニット及び／或いは少なくとも１つの統一ツールが装備（ｅｑｕｉｐ）される。第二電子装置９７２が統一資源識別子により第一電子装置９７１中のプロジェクト可能な空間のインスタンス９７３を取得させると、第二電子装置９７２のプロジェクター９７４がプロジェクト可能な空間のインスタンス９７３に対する解析を開始させる（図５Ａ参照。なお、プロジェクト可能な空間のインスタンス９７３がプロジェクター９７４により解析された後、投影されたワークスペース９７６がプロジェクト可能な空間のインスタンス９７３により解析された内容に基づいて作業環境９７５上に構築される（図５Ｂ参照）。これにより、第二電子装置９７２のユーザーは第二電子装置９７２を介して投影されたワークスペース９７６との相互作用が可能になり、関連するタスクが実行される。
【００５５】
以下、図６に示す使用状況を例に上述の統一スクリプト９７３１、プロジェクト可能な空間のインスタンス９７３、及び投影されたワークスペース９７６の相互の関係を説明する。図６に示す使用状況は、投影されると共に指定されたインターネット空間内に保存されるｊｐｇフォーマットイメージファイル及びｇｉｆフォーマットイメージファイルを読み取り可能なユーザーに観察させるためのワークスペースが構築される。また、本使用状況において、統一スクリプト９７３１は、ドキュメントタイプ定義（ＤＴＤ）で宣言され、プロジェクト可能な空間のインスタンス９７３は拡張可能マークアップ言語（ＸＭＬ）で生成される。
【００５６】
なお、プロジェクト可能な空間のインスタンス９７３には、情報入力器及び統一ツールが加えられ、且つ情報入力器により少なくとも１つの元の情報に対応する少なくとも１つの統一情報ユニットが投影されたワークスペース９７６中に入力される。本使用状況において、情報入力器はＤｒｏｐｂｏｘ入力器であり（すなわち、破線枠９７６１として図示する）、且つ元の情報はＤｒｏｐｂｏｘ９７９情報源中のｊｐｇフォーマットイメージファイル９７９１、９７９２、及びｇｉｆフォーマットイメージファイル９７９３であり、統一情報ユニットは後述の統一ｊｐｇフォーマットイメージファイル９７９１’、９７９２’、及び統一ｇｉｆフォーマットイメージファイル９７９３’であり、統一ツールはイメージビューアであり（すなわち、破線枠９７６２として図示する）、投影されたワークスペース９７６中に入力されるフォーマットイメージファイルの読み取りに用いられる。
【００５７】
さらに、投影されたワークスペース９７６は、プロジェクト可能な空間のインスタンス９７３で第二電子装置９７２におけるプロジェクター９７４により解析された後に構築され、投影されたワークスペース９７６上にＤｒｏｐｂｏｘ入力器９７６１’（図示される破線枠９７６１に対応する）及びイメージビューア９７６２’（図示される破線枠９７６２に対応する）が配置され、Ｄｒｏｐｂｏｘ入力器９７６１’によりＤｒｏｐｂｏｘ９７９情報源中のｊｐｇフォーマットイメージファイル９７９１、９７９２、及びｇｉｆフォーマットイメージファイル９７９３が統一されると共に投影されたワークスペース９７６に入力され、ｊｐｇフォーマットイメージファイル９７９１、９７９２、及びｇｉｆフォーマットイメージファイル９７９３にそれぞれ対応する統一ｊｐｇフォーマットイメージファイル９７９１’、９７９２’、及び統一ｇｉｆフォーマットイメージファイル９７９３’が投影されたワークスペース９７６上で表示される。次いで、第二電子装置９７２のユーザー９７２のユーザーが、特定の操作方式により統一ｊｐｇフォーマットイメージファイル９７９１’、９７９２’、及び統一ｇｉｆフォーマットイメージファイル９７９３’の内の何れか１つに対する操作を行うと（例えば、統一ｊｐｇフォーマットイメージファイル９７９１’、９７９２’、及び統一ｇｉｆフォーマットイメージファイル９７９３’の内の何れか１つがクリックされる、或いは統一ｊｐｇフォーマットイメージファイル９７９１’、９７９２’、及び統一ｇｉｆフォーマットイメージファイル９７９３’の内の何れか１つがイメージビューア９７６２’までドラッグされる）、イメージビューア９７６２’により統一ｊｐｇフォーマットイメージファイル９７９１’、９７９２’、及び統一ｇｉｆフォーマットイメージファイル９７９３’の内の何れか１つの内容が読み取られて表示され、ユーザーが観察できるようになる。また、上述のＤｒｏｐｂｏｘ入力器９７６１’及びイメージビューア９７６２’はマイクロカーネル９７７により装備（ｅｑｕｉｐ）される。
【００５８】
ちなみに、プロジェクト可能な空間のインスタンス９７３の統一資源識別子はハイパーテキスト・トランスファー・プロトコル（ＨＴＴＰ）統一資源識別子またはファイル転送プロトコル（ＦＴＰ）統一資源識別子であり、第一電子装置９７１及び第二電子装置９７２が１つの装置に統合される場合、プロジェクト可能な空間のインスタンス９７３の統一資源識別子もローカルファイル（ｌｏｃａｌ  ｆｉｌｅ）統一資源識別子である。但し、統一資源識別子の形態は上述のものに限られない。
【００５９】
本実施形態で述べる「ワークスペースの投影方法の具体的な獲得方式」はアメリカ特許出願第１４／５７７７７２号「ＭＥＴＨＯＤ  ＯＦ  ＰＲＯＪＥＣＴＩＮＧ  Ａ  ＷＯＲＫｓｐａｃｅ  ＡＮＤ  ＳＹＳＴＥＭ  ＵＳＩＮＧ  ＴＨＥ  ＳＡＭＥ」を参照し、アメリカ特許出願第１４／３２４０６９、１４／３２５４６６、１４／５７７７７２号を国際優先権主張の基礎とする中国特許出願第２０１４１０８１４１３８．５号「ワークスペースの投影方法及び上記ワークスペースの投影方法を応用するシステム」を参照し、ここでの詳述は省く。
【００６０】
ちなみに、上述のワークスペースの投影方法は、本願のワークスペースが計算能力を有するあらゆる電子装置に投影される投影方法にすぎない。但し、ワークスペースが計算能力を有するあらゆる電子装置に投影される投影方法は、上述のものに限られない。本技術分野に習熟する者ならば実際の応用の需要に応じて同等の効果を達成させるあらゆる設計変更が可能である。
【００６１】
続いて、元のツールが作業環境との互換性がない場合に、どのように統一ツールに変換させ、且つ作業環境で操作可能にするかについて更に説明する。図７を参照すると、本発明に係るツールを作業環境で操作する方法の好ましい方法のフローチャートである。ツールを作業環境で操作する方法は、
統一ツールを操作させるウェブサイト形式の作業環境がブラウザに提供され、作業環境で提供されるソフトウェア開発キットは作業環境と作業環境中で生成される統一された後のインラインフレーム（ｉｎｌｉｎｅ  ｆｒａｍｅ，  ｉｆｒａｍｅ）との間でデータ及び／或いは命令の伝送を行う少なくとも１つの標準インターフェースとして用いられ、且つソフトウェア開発キットは作業環境及び上記統一された後のインラインフレームの間で互換性をもって実行されるステップＰ１と、
作業環境中で統一ツールが操作され、統一ツールの操作は作業環境中でインラインフレームが生成されると共にアダプタがインラインフレームにロードされることにより完成し、且つアダプタは作業環境とは互換しない元のツール及び上記少なくとも１つの標準インターフェースが統合された後に形成されるソフトウェアモジュールであり、作業環境では上記少なくとも１つの標準インターフェースを介し統一ツールが駆動される駆動方式によりインラインフレーム中の元のツールが実行されるステップＰ２とを含む。
【００６２】
以下では、実施形態を例にツールを作業環境で操作する方法を説明する。本実施形態において、作業環境はワークスペースの作業環境であり、作業環境とは互換しない元のツールはツールクラウドからの計算機であるが、これは１つの実施形態にすぎず、本技術分野に習熟する者ならば実際の需要に応じて同等の効果を有するあらゆる設計変更が可能である。
【００６３】
図８は、図７に示すステップＰ１における統一ツールを操作させるウェブサイト形式の作業環境がブラウザに提供される好ましい概略図である。図８に図示するように、第一マシン１１は、互換環境を提供して図５Ａ及び図５Ｂに示すプロジェクターを実行させるブラウザ１１１を有し、第二マシン１２はワークスペースをモデル化させるためのプロジェクト可能な空間のインスタンス３を有する。第一マシン１１がプロジェクト可能な空間のインスタンス３の統一資源識別子１１１１によりプロジェクト可能な空間のインスタンス３を取得させると、プロジェクター（図８に図示せず、図５Ａ及び図５Ｂ参照）によりブラウザ１１１中に投影されたワークスペース６を実行させるための作業環境４が構築され、且つ投影されたワークスペース６に対応するマイクロカーネル（図８に図示せず、図６参照）が提供され、プロジェクト可能な空間のインスタンス３でコンパイルされた統一要素５を装備させるために使用される。
【００６４】
図９は、図７に示すステップＰ２において、作業環境中にインラインフレームが生成されると共にアダプタがその中にロードされる好ましい概略図である。図９を図示するように、ツールクラウド１３には作業環境４との互換性がない計算機５３が配置され、計算機５３が投影されたワークスペース６中で実行できるようにするために、作業環境４中にインラインフレーム７が生成され、計算機５３に対応するアダプタ８がその中にロードされる。詳しくは、作業環境４には、作業環境４とインラインフレーム７との間でデータ及び／或いは命令の伝送を行う標準インターフェース２２とし、予め計算機５３と統合されるソフトウェア開発キット２１が提供され（図１０参照）、且つソフトウェア開発キット２１は作業環境４及びインラインフレーム７の間で互換性をもって実行される。計算機５３は、標準インターフェース２２により提供及び／或いは定義されるソフトウェアファンクションコール（Ｓｏｆｔｗａｒｅ  ｆｕｎｃｔｉｏｎ  ｃａｌｌ）が使用及び／或いは実現されることにより、標準インターフェース２２に統合されてソフトウェアモジュールとなる。この統合方式は本技術分野に習熟する者ならば熟知するものであるため、ここでの再述は省く。また、計算機５３及び標準インターフェース２２の統合方式は上述のものに限定されない。
【００６５】
さらに、予め統合された後の計算機５３及び標準インターフェース２２により形成されるソフトウェアモジュールはアダプタ８となり、ツールクラウド１３の計算機５３がプロジェクター（図９に図示せず、図５Ａ及び図５Ｂ参照）によりプロジェクト可能な空間のインスタンス３が解析された結果に応じて投影されたワークスペース６に配置されると、アダプタ８がインラインフレーム７中にロードされて作業環境４で操作可能な統一ツール５１となる。より具体には、この際、標準インターフェース２２は作業環境４で統一ツール５１を駆動させるために使用される駆動インターフェースとなり、作業環境４では統一ツール５１を駆動させる駆動方式によりインラインフレーム７中の計算機５３が実行される。一方では、好ましい本実施形態において、図７のステップＰ１で述べる統一された後のインラインフレームは統一ツール５１である。
【００６６】
図１０は、図９に示す計算機が作業環境中で実行される好ましい概略図である。好ましい本実施形態において、データ及び／或いは命令は全てＨＴＭＬ５  Ｗｅｂ  Ｍｅｓｓａｇｉｎｇの仕様に則り定義されるＰｏｓｔＭｅｓｓａｇｅ関数により作業環境４とインラインフレーム７との間で伝送されるが、これに限定されない。作業環境４でインラインフレーム７中の計算機５３を実行する場合、先ず初期（ｉｎｉｔｉａｌ）コマンドＳ１がインラインフレーム７に伝送され、インラインフレーム７中の計算機５３が起動される。この際、計算機５３の初期状態が０と設定され、次いで計算命令セットＳ３（例えば、５＋２）が作業環境４からインラインフレーム７に伝送されると共に計算機５３により受信され、計算機５３により計算され、結果情報Ｓ４（例えば、７）がインラインフレーム７により作業環境４に返信される。最後に、作業環境４でインラインフレーム７中の計算機５３が終了されると、クローズ（ｃｌｏｓｅ）コマンドＳ２がインラインフレーム７に伝送され、計算機５３が終了される。
【００６７】
以上の説明から分かるように、本願の方法により作業環境との互換性がないあらゆるツールが作業環境中で実行可能になり、各種ツールの統合運用を可能にする。上述の作業環境は全てワークスペースの作業環境を例に説明しているが、これに限られず、あらゆる形態の作業環境も全て本願の方法が適用可能である。
【００６８】
ちなみに、本願は作業環境中でインラインフレームが生成され、元のツール及び標準インターフェースが統合されることにより形成されるアダプタがロードされる方式により、作業環境との互換性がないツールが作業環境中で実行可能になる。これにより、不審者がツールを利用して不正行為を働いても、例えば、データを盗んだりウェブサイトを飛ばす等をしたりしても、インラインフレームが破壊されるのみで、作業環境自体には影響が及ばない。よって、作業環境が情報セキュリティ上の脅威を免れる。
【００６９】
図１１は、本発明の図７に示すツールを作業環境で操作する方法を応用する機械の好ましい実施形態のブロック概略図である。機械１４は、ブラウザ１４１及び実行ユニット１４２を備える。ブラウザ１４１は、統一ツールを操作させるウェブサイト形式の作業環境がその中にロードされる。実行ユニット１４２は、作業環境中でインラインフレームが生成されると共にアダプタ（Ａｄａｐｔｅｒ）がインラインフレームにロードされることにより作業環境で互換性をもって操作される統一ツールが形成される。作業環境で提供されるソフトウェア開発キットは、作業環境と統一された後のインラインフレームとの間で少なくとも１つのデータ及び／或いは少なくとも１つの命令の伝送を行う少なくとも１つの標準インターフェースとして用いられ、且つソフトウェア開発キットは作業環境及び上記統一された後のインラインフレームの間で互換性をもって実行される。アダプタは作業環境とは互換しない元のツールが上記少なくとも１つの標準インターフェースに統合された後に形成されるソフトウェアモジュールであり、且つ作業環境では、上記少なくとも１つの標準インターフェースにより統一ツールが駆動される駆動方式によりインラインフレーム中の元のツールが実行される。機械の具体的な操作方式については、上述の図７〜図１０の説明と同じであるため、ここでは再述しない。
【００７０】
以上が本発明の好ましい実施形態のみのであり、本発明の権利請求範囲を限定するものではなく、本発明の精神を逸脱せずに行う同等の効果を達成させる改変または修飾も、本発明の権利請求範囲内に含まれる。
【符号の説明】
【００７１】
３  プロジェクト可能な空間のインスタンス、
４  作業環境、
５  統一要素、
６  投影されたワークスペース、
７  インラインフレーム、
８  アダプタ、
１１  第一マシン、
１２  第二マシン、
１３  ツールクラウド、
１４  機械、
２１  ソフトウェア開発キット、
２２  標準インターフェース、
５３  計算機、
５１  統一ツール、
１１１  ブラウザ、
１４１  ブラウザ、
１４２  実行ユニット、
９７１  第一電子装置、
９７２  第二電子装置、
９７３    プロジェクト可能な空間のインスタンス、
９７４  プロジェクター、
９７５  作業環境、
９７６  投影されたワークスペース、
９７７  マイクロカーネル、
９７９  Ｄｒｏｐｂｏｘ、
９８０  統一スクリプト、
９８１  個人用ワークスペース、
９８２  Ｄｒｏｐｂｏｘ、
９８３  クラウドストレージ、
９８４  サーバー、
９８５  元の情報、
９８５’  統一情報ユニット、
９８６  元のツール、
９８６’  第一統一ツール、
９８７  元のツール、
９８７’  第二統一ツール、
９９１  元の要素、
９９２  マテライザー、
９９３    統一データモデル、
９９４  統一要素、
１１１１  統一資源識別子、
９７３１  統一スクリプト、
９７６１  破線枠、
９７６１’  Ｄｒｏｐｂｏｘ入力器、
９７６２  破線枠、
９７６２’  イメージビューア、
９７９１  ｊｐｇフォーマットイメージファイル、
９７９１’  統一ｊｐｇフォーマットイメージファイル、
９７９２  ｊｐｇフォーマットイメージファイル、
９７９２’  統一ｊｐｇフォーマットイメージファイル、
９７９３  ｇｉｆフォーマットイメージファイル、
９７９３’  統一ｇｉｆフォーマットイメージファイル、
９８８１  情報入力器、
９８８２  情報入力器、
９８８３  情報入力器、
Ｐ１  ステップ、
Ｐ２  ステップ、
Ｓ１  初期コマンド、
Ｓ２  クローズコマンド、
Ｓ３  計算命令セット、
Ｓ４  結果情報。
【図１】
2017526092.tif 000003
【図２】
2017526092.tif 000004
【図３】
2017526092.tif 000005
【図４】
2017526092.tif 000006
【図５Ａ】
2017526092.tif 000007
【図５Ｂ】
2017526092.tif 000008
【図６】
2017526092.tif 000009
【図７】
2017526092.tif 000010
【図８】
2017526092.tif 000011
【図９】
2017526092.tif 000012
【図１０】
2017526092.tif 000013
【図１１】
2017526092.tif 000014
【国際調査報告】
2017526092.tif 000015
2017526092.tif 000016